(57)【特許請求の範囲】
【請求項１】
建物開口部上方の躯体に開口幅方向に隙間を有して並設した複数のシャッターケースと、
前記隙間を塞ぐように複数のシャッターケースに跨って取り付けられるシャッターケース連結カバーと、
を備え、
前記シャッターケース連結カバーは、前記シャッターケースに外嵌するカバー本体と、前記カバー本体の内側に固定された補強プレートと、からなり、
前記補強プレートは、前記カバー本体の形状を保持すると共に、当該カバー本体の弾性変形を許容するように固定されており、
前記シャッターケース連結カバーは、前記補強プレートが前記隙間に挿入され、前記カバー本体が前記隙間の両側のシャッターケースに外嵌した状態で、当該カバー本体の一端側が躯体側あるいは前記シャッターケースに設けた被係止部に係止され、他端側が前記シャッターケースの下側で固定手段により固定されている、
シャッターケース連結カバーの取付構造。
【請求項２】
前記カバー本体は、上辺と、正面辺と、下辺と、を備え、
前記補強プレートは、上向き後方に向かって延び、上端が前記カバー本体の前記上辺の内面に固定され、下端側が前記カバー本体の前記正面辺の内面に固定された上側傾斜部と、下向き後方に向かって延び、下端が前記カバー本体の前記下辺の内面に固定され、上端側が前記カバー本体の前記正面辺の内面に固定された下側傾斜部と、を備えている、請求項１に記載のシャッターケース連結カバーの取付構造。
【請求項３】
前記上側傾斜部の下端側、前記下側傾斜部の上端側の少なくとも一方は、上側傾斜部あるいは下側傾斜部の傾斜に対して角度を持って折り曲げられ、前記カバー本体の前記正面辺に沿って延びている、請求項２に記載のシャッターケース連結カバーの取付構造。
【請求項４】
前記補強プレートは、帯状板を折り曲げることで一体形成されており、前記上側傾斜部の下端側と前記下側傾斜部の上端側は、前記カバー本体の前記正面辺に沿って上下方向に延びる垂直状部位として一体化されており、前記垂直状部位が前記カバー本体の前記正面辺の内面に固定されている、請求項２、３いずれかに記載のシャッターケース連結カバーの取付構造。
【請求項５】
前記隙間は、各シャッターケースの端部に位置する２つのブラケット間に形成されており、
前記２つのブラケットは、躯体に固定された取付部材に対して躯体から持ち出し状に取り付けられており、
前記被係止部は、前記取付部材に設けてある、請求項１〜４いずれかに記載のシャッターケース連結カバーの取付構造。
【請求項６】
前記並設したシャッターケースにそれぞれ収納されるシャッターカーテンの幅方向の一方の端部は、隣り合うように立設されたガイドレールにそれぞれ案内され、
前記シャッターケース連結カバーの他端側は、前記シャッターケース下面あるいは前記ガイドレールの上端側に固定されている、請求項１〜５いずれかに記載のシャッターケース連結カバーの取付構造。
【発明の詳細な説明】
【技術分野】
【０００１】
本発明は、シャッターケース連結カバーの取付構造に関するものである。
【背景技術】
【０００２】
開口幅方向に並設した複数のシャッター装置で建物開口部を開閉する場合がある。この場合、建物開口部上方の躯体に開口幅方向にシャッターケースを並設するが、シャッターケース間には隙間が形成されるため、この隙間を塞ぐようにシャッターケース連結カバーを取り付けている。このような連結カバーは、特許文献１、図１２に記載されている。
【０００３】
従来のシャッターケース連結カバー７´の取付構造を図１２に基づいて説明する。連結カバー７´は、薄板の鋼板で、シャッターケース間の隙間よりも幅広で、上辺７０´、正面辺７１´、下辺７２´から側面視コ字形に形成され、上辺７０´、正面辺７１´、下辺７２´の３ヶ所においてシャッターケースにねじ止めすることで取り付けられる。
【０００４】
しかしながら、図１２に示す従来のシャッターケース連結カバーの取付構造では、薄板の鋼板からなる連結カバー７´を、上辺７０´、正面辺７１´、下辺７２´の３ヶ所でねじ止めする必要があることから、取付作業が手間であるという課題がある。また、シャッターケースの上方に軒天がある場合には、ねじ止め用の工具が入らないため、連結カバーの上辺７０´の固定ができない。さらに、シャッターケースに対して連結カバー７´を正面からねじ止めすることは、意匠上避けたいという要望がある。
【特許文献１】実開平１−１６８６９３
【発明の開示】
【発明が解決しようとする課題】
【０００５】
本発明は、かかる課題を解決することを目的とするものである。
【課題を解決するための手段】
【０００６】
本発明が採用した技術手段は、
建物開口部上方の躯体に開口幅方向に隙間を有して並設した複数のシャッターケースと、
前記隙間を塞ぐように複数のシャッターケースに跨って取り付けられるシャッターケース連結カバーと、
を備え、
前記シャッターケース連結カバーは、一端側が躯体側あるいは前記シャッターケースに設けた被係止部に係止され、他端側が前記シャッターケースの下側で固定手段により固定されている、シャッターケース連結カバーの取付構造、である。
【０００７】
一つの態様では、前記シャッターケース連結カバーは、前記シャッターケースに外嵌するカバー本体と、前記カバー本体の内側に固定された補強プレートと、からなり、
前記補強プレートは、前記カバー本体の形状を保持すると共に、当該カバー本体の弾性変形を許容するように固定されており、
前記シャッターケース連結カバーは、前記補強プレートが前記隙間に挿入され、前記カバー本体が前記隙間の両側のシャッターケースに外嵌した状態で、当該カバー本体の一端側が躯体側あるいは前記シャッターケースに設けた被係止部に係止され、他端側が前記シャッターケースの下側で固定手段により固定されている。
【０００８】
一つの態様では、前記カバー本体は、上辺と、正面辺と、下辺と、を備え、前記補強プレートは、上向き後方に向かって延び、上端が前記カバー本体の前記上辺の内面に固定され、下端側が前記カバー本体の前記正面辺の内面に固定された上側傾斜部と、下向き後方に向かって延び、下端が前記カバー本体の前記下辺の内面に固定され、上端側が前記カバー本体の前記正面辺の内面に固定された下側傾斜部と、を備えている。
【０００９】
一つの態様では、前記上側傾斜部の下端側、前記下側傾斜部の上端側の少なくとも一方は、上側傾斜部あるいは下側傾斜部の傾斜に対して角度を持って折り曲げられ、前記カバー本体の前記正面辺に沿って延びている。後述する実施形態では、前記上側傾斜部の下端側、前記下側傾斜部の上端側は共に、前記カバー本体の前記正面辺に沿って平行状に延びているが、前記上側傾斜部の下端側および／あるいは前記下側傾斜部の上端側は、前記カバー本体の前記正面辺に沿って傾斜状に延びるものでもよい。
こうすることで、補強プレートの前記上側傾斜部および／あるいは前記下側傾斜部の傾斜辺が、カバー本体の正面辺に沿って延びる辺に対して弾性変形しながら回動することができ、カバー本体の上辺と下辺が拡開する方向の弾性変形を許容することができる。前記上側傾斜部、前記下側傾斜部は別部材で形成してもよく、下記のように一部材から形成してもよい。
【００１０】
一つの態様では、前記補強プレートは、帯状板を折り曲げることで一体形成されており、前記上側傾斜部の下端側と前記下側傾斜部の上端側は、前記カバー本体の前記正面辺に沿って上下方向に延びる垂直状部位として一体化されており、前記垂直状部位が前記カバー本体の前記正面辺の内面に固定されている。
一つの態様では、前記カバー体の前記正面辺には、凹部が形成されており、前記垂直状部位は、前記凹部において前記正面辺の内面に固定されている。カバー本体の凹部を利用して補強プレートを固定することで、補強プレートを取り付ける際の作業性が良好である。
【００１１】
一つの態様では、前記隙間は、各シャッターケースの端部に位置する２つのブラケット間に形成されており、
前記２つのブラケットは、躯体に固定された取付部材に対して躯体から持ち出し状に取り付けられており、
前記被係止部は、前記取付部材に設けてある。
一つの態様では、被係止部は弾性変形可能な板バネから形成されており、カバー本体の上辺の係止片が、被係止部の弾性を利用して被係止部に係脱することで、シャッターケース連結カバーの取付を確実に行うことができると共に、シャッターケース連結カバーの取り外しを容易に行うことができる。
【００１２】
前記並設したシャッターケースにそれぞれ収納されるシャッターカーテンの幅方向の一方の端部は、隣り合うように立設されたガイドレールにそれぞれ案内され、一つの態様では、前記シャッターケース連結カバー（前記カバー本体）の他端側は、前記シャッターケース下面あるいは前記ガイドレールの上端側に固定されている。
典型的には、固定手段は螺子であり、前記シャッターケース連結カバー（前記カバー本体）は螺子で前記シャッターケース下面あるいは前記ガイドレールの上端側に固定される。
【発明の効果】
【００１３】
本発明では、シャッターケース連結カバーを正面から差し込み、当該シャッターケース連結カバーは、一端側が躯体側あるいは前記シャッターケースに設けた被係止部に係止され、他端側が前記シャッターケースの下側で固定手段により固定されているので、取付時の作業性が良好であると共に、シャッターケース連結カバーの一端側（上側）の固定に螺子を用いることがないため、シャッターケースの上方に十分な空間が無い場合であっても、シャッターケース連結カバーの上辺の固定に支障をきたすことがない。また、シャッターケース連結カバーの正面に螺子の頭部が露出することがなく、螺子の頭部によってシャッターケース連結カバーの意匠性が損なわれることがない。
【００１４】
本発明では、カバー本体の内側に補強プレートを取り付けたことで、連結カバーの形状（略コ字形）を保持することができ、シャッターケース連結プレートの取付を容易に行うことができる。また、シャッターケース連結カバーの取付時に、補強プレートがシャッターケース間の隙間に入り込むことで、取付時のガイドの役目を果たし、連結カバーの取付を容易に行うことができる。
【００１５】
本発明では、カバー本体が弾性変形可能（上辺と下辺が拡開方向に）なように補強プレートを設けたことで、シャッターケース正面からの連結カバーの取付が容易に行える。さらに、請求項２〜４に記載した構成では、補強プレートがカバー本体の形状を保持すると共にカバー本体の弾性変形を良好に行うことができる。
【図面の簡単な説明】
【００１６】
【図１】全閉姿勢にある並設したシャッターの全体正面図及び側面図である。
【図２】２つのシャッター装置のシャッターケースの連結部の側面図及び下面図である。
【図３】２つのシャッター装置のシャッターケースの連結部の正面図（右図）及びシャッターケース連結部におけるブラケット及びその取付部材を示す図（左図）である。
【図４】シャッターケース連結カバーを示す図である。
【図５】補強プレートを示す図である。
【図６】２つのシャッター装置のシャッターケースの連結部におけるブラケットの取付部材を示す図である。
【図７】シャッターケース連結カバーの取付を説明する図である。
【図８】全開姿勢にある並設したシャッターの全体正面図である（シャッターケース連結カバーを取り外した状態）。
【図９】全開姿勢にある並設したシャッターの全体正面図である（シャッターケース連結カバーが取り付けられた状態）。
【図１０】図２と類似の図であり、シャッターケース連結カバーの下側の固定の他の実施形態を示す。
【図１１】並設したシャッターカーテンを同時に開放できる手動開放操作具を説明する図である。
【図１２】従来のシャッターケース連結カバーの取付構造を示す図である。
【発明を実施するための形態】
【００１７】
図１は、全閉姿勢にある並設したシャッターの全体正面図及び側面図であり、開口幅方向に２つのシャッター装置（第１シャッター装置１、第２シャッター装置２）が並設されている。建物開口部は窓装置（図示せず）によって開閉され、窓装置の屋外側を開閉するように２つのシャッター装置が設けられている。
【００１８】
建物開口部の幅方向の両端部にはそれぞれガイドレール３Ａ、３Ｂが立設されている。建物開口部には幅方向の中央部位に位置してガイドレール３Ａ、３Ｂにそれぞれ対向してガイドレール４Ａ、４Ｂが形成されている。建物開口部は、ガイドレール３Ａとガイドレール４Ａの間の第１開口と、ガイドレール３Ｂとガイドレール４Ｂの間の第２開口と、に区画されている。尚、ガイドレール４Ａ、４Ｂを一体化された中柱として形成してもよい。
【００１９】
第１シャッター装置１は、第１開口を開閉するように設置されており、複数枚のスラットを上下に連設してなる第１シャッターカーテン１０と、第１シャッターカーテン１０の幅方向の両端部をそれぞれ上下方向に案内するガイドレール３Ａ、４Ａと、第１開口の上方に設けられ、第１シャッターカーテン１０を収納する第１シャッターケース１１と、第１シャッターケース１１内に設けられ、第１シャッターカーテン１０の上端が連結された第１巻取シャフト１２と、を備えている。第１巻取シャフト１２の両端は、ガイドレール３Ａ、ガイドレール４Ａの上方に位置して躯体より持ち出し状に設けた左右のブラケット（ガイドレール４Ａの上方のブラケット５Ａのみ図３左図に示す）間に回転可能に支持されており、第１巻取シャフト１２の正逆回転により第１シャッターカーテン１０を巻取り、あるいは、巻き取られた第１シャッターカーテン１０を繰り出すことで第１開口を開閉する。
【００２０】
第２シャッター装置２は、第２開口を開閉するように設置されており、複数枚のスラットを上下に連設してなる第２シャッターカーテン２０と、第２シャッターカーテン２０の幅方向の両端部をそれぞれ上下方向に案内するガイドレール３Ｂ、４Ｂと、第２開口の上方に設けられ、第２シャッターカーテン２０を収納する第２シャッターケース２１と、第２シャッターケース２１内に設けられ、第２シャッターカーテン２０の上端が連結された第２巻取シャフト２２と、を備えている。第２巻取シャフト２２の両端は、ガイドレール３Ｂ、ガイドレール４Ｂの上方に位置して躯体より持ち出し状に設けた左右のブラケット（ガイドレール４Ｂの上方のブラケット５Ｂのみ図３左図に示す）間に回転可能に支持されており、第２巻取シャフト２２の正逆回転により第２シャッターカーテン２０を巻取り、あるいは、巻き取られた第２シャッターカーテン２０を繰り出すことで第２開口を開閉する。
【００２１】
第１シャッターケース１１と第２シャッターケース２１は実質的に同じ形状・構成を備えている。第１シャッターケース１１のケース板は、上面１１０、正面１１１、下面１１２を備えており、ケース板は、左右のブラケット（一方はガイドレール３Ａの上方のブラケット、他方はブラケット５Ａ）間に架け渡すように設けた複数本の横材１１３に支持されている。同様に、第２シャッターケース２１のケース板は、上面２１０、正面２１１、下面２１２を備えており、ケース板は、左右のブラケット（一方はガイドレール３Ｂの上方のブラケット、他方はブラケット５Ｂ）間に架け渡すように設けた複数本の横材２１３に支持されている。
【００２２】
ガイドレール３Ａ、３Ｂの上方のブラケットは、躯体に固定された取付部材（図示せず）に対して掛止し、下方部位をねじ止めすることで躯体に取り付けられる。このような取付部材は当業者によく知られている。ガイドレール３Ａ、３Ｂの上方のブラケットは、外側からサイドキャップ５０を取り付けることで隠蔽されている。したがって、実施形態のものでは、第１シャッターケース１１の開口幅方向の一方の側部はサイドキャップ５０、他方の側部はブラケット５Ａとなっており、第２シャッターケース２１の開口幅方向の一方の側部はサイドキャップ５０、他方の側部はブラケット５Ｂとなっている。
【００２３】
ブラケット５Ａ、５Ｂは、ガイドレール４Ａ、４Ｂの上方に位置して、躯体に固定された取付部材６に対して掛止し、下方部位をねじ止めすることで躯体に取り付けられる。ガイドレール４Ａ、４Ｂの上方に位置して設けた取付部材６は、ガイドレール３Ａ、３Ｂの上方に位置してそれぞれ設けた取付部材（図示せず）に対して幅広であり、ブラケット５Ａ、５Ｂが取り付けられる共通の取付部材である。
【００２４】
図６に示すように、取付部材６は、縦長方形状の板材からなる面部６０と、面部６０の上端の幅方向両端に形成した左右の掛止片６１Ａ、６１Ｂと、面部６０の下端を折り曲げてなる水平状の底片６２と、面部６０の上端の幅方向中央部位を折り曲げてなる水平状の第１スペーサ６３と、面部６０の中央部位に取り付けた側面視コ字状の第２スペーサ６４と、からなる。第１スペーサ６３と第２スペーサ６４は同じ幅寸法を有しており、面部６０の幅方向において同じ位置に形成されている。ブラケット５Ａ、５Ｂはそれぞれ第１スペーサ６３と第２スペーサ６４に当接した状態で取付部材６に取り付けられている。第１スペーサ６３と第２スペーサ６４は、ブラケット５Ａ、５Ｂを取り付ける時の位置決めとしての役割を有する。
【００２５】
図８に示すように、第１シャッターケース１１と第２シャッターケース２１は隙間Ｓを形成するように開口幅方向に並んで取り付けられている。本実施形態では、図３左図に示すように、第１シャッターケース１１のブラケット５Ａと、第２シャッターケース２１のブラケット５Ｂは、第１スペーサ６３、第２スペーサ６４により、これらの間に隙間Ｓを有するように躯体から対向状に延出しており、ブラケット５Ａ、５Ｂの間には隙間Ｓが形成されている。第１シャッターケース１１と第２シャッターケース２１との間の隙間Ｓを覆うように、第１シャッターケース１１、第２シャッターケース２１に跨ってシャッターケース連結カバー７が取り付けられる（図３右図、図９）。
【００２６】
図４に示すように、シャッターケース連結カバー７は、カバー本体８と、カバー本体８の内側に固定された補強プレート９と、から構成されている。カバー本体８は、隙間Ｓよりも幅広の幅寸法を備えた金属製の板体から形成されており、上辺８０と、正面辺８１と、下辺８２と、から側面視略コ字形の形状をしている。カバー本体８は、第１シャッターケース１１及び第２シャッターケース２１に外嵌できる形状・寸法を有している。より具体的には、カバー本体８の上辺８０、正面辺８１、下辺８２は、それぞれ、第１シャッターケース１１及び第２シャッターケース２１のケース板の上面１１０、２１０、正面１１１、２１１、下面１１２、２１２に対応しており、カバー本体８の形状・寸法は、第１シャッターケース１１及び第２シャッターケース２１のケース板の形状・寸法に対応している。
【００２７】
カバー本体８の上辺８０の先端（後端）を下方に折り曲げることで係止片８００が形成されている。カバー本体８の下辺８２には、螺子８２０Ａを螺入するための２つの挿通孔８２０が幅方向に間隔を存して形成されている。カバー本体８の正面辺８１には、水平状に延びる凹部８１０が形成されている。第１シャッターケース１１及び第２シャッターケース２１のケース板の正面１１１、２１１には、凹部８１０に対応して水平状に延びる凹部１１１Ａ、２１１Ａが形成されている。カバー本体８の下辺８２の後端には、後方に向かって延びる幅狭部８２１が延設されている。
【００２８】
補強プレート９は、隙間Ｓよりも僅かに狭幅の幅寸法を備えた板体から形成されている。補強プレート９は、カバー本体８の側面視コ字状の形状を保持すると共に、カバー本体８の上辺８０と下辺８２が拡開する方向の弾性変形を許容するようにカバー本体８に固定されている。より具体的には、補強プレート９は、金属製の帯状板を折り曲げることで一体形成されており、上向き後方に向かって延び、上端がカバー本体８の上辺８０の内面に固定（例えば、溶接）された上側傾斜部９０と、下向き後方に向かって延び、下端がカバー本体８の下辺８２の内面に固定（例えば、溶接）された下側傾斜部９２と、を備え、上側傾斜部９０の下端側と下側傾斜部９２の上端側は、カバー本体８の正面辺８１に沿って上下方向に延びる垂直状部位９１によって一体化されており、垂直状部位９１がカバー本体８の正面辺８１の凹部８１０において正面辺８１の内面に固定（例えば、溶接）されている。別の言い方をすると、上側傾斜部９０は、傾斜辺と、傾斜辺の下端側を傾斜辺に対して角度を持って折り曲げることで形成された垂直辺と、からなり、下側傾斜部９２は、傾斜辺と、傾斜辺の上端側を傾斜辺に対して角度を持って折り曲げることで形成された垂直辺と、からなり、実施形態では、前記２つの垂直辺が垂直状部位９１から形成されている。上側傾斜部９０、下側傾斜部９２は、それぞれ折り曲げ部位において垂直状部位９１に対して回動するように弾性変形可能であり、カバー本体８の上辺８０と下辺８２が拡開する方向の弾性変形を許容する。
【００２９】
補強プレート９の下側傾斜部９２には、さらに、垂直状に延びる立ち上がり状のプレート９３が固定されている。プレート９３の傾斜状の前縁には２つの突片９３０が形成されており、下側傾斜部９２に形成された２つの受孔９２０に突片９３０を挿入して固定（例えば、溶接）する。プレート９３の下縁はカバー本体８の下辺８２上に当接している。プレート９３は、ブラケット５Ａ、５Ｂの下方部位の切欠きを覆う塞ぎ板としての機能をも備えている。
【００３０】
取付部材６の第１スペーサ６３は、図６の上図に示すように、立ち上がり片６３０と、立ち上がり片６３０の上端から前方に向かって水平状に延びる水平片６３１と、からなり、第１スペーサ６３を利用して被係止部６５が取り付けられている。被係止部６５は、垂直状の装着片６５０と、装着片６５０の上端から前方に向かって水平状に延びる水平片６５１と、水平片６５１の先端から上向き後方に向かって傾斜状に延びる被係止片６５２と、からなり、水平片６５１を第１スペーサ６３の水平片６３１の下面に当接させた状態で、装着片６５０を第１スペーサ６３の立ち上がり片６３０の前面にリベット等で固定してなる。被係止部６５は金属板を折り曲げて形成されており、被係止片６５２は弾性変形可能な板バネとなっている。
【００３１】
シャッターケース連結カバー７は、補強プレート９が隙間Ｓに挿入され、カバー本体８が隙間Ｓの両側の第１シャッターケース１１、第２シャッターケース２１に外嵌した状態で、カバー本体８の上辺８０の先端に形成した係止片８００を取付部材６の第１スペーサ６３に設けた被係止部６５の被係止片６５２に係止させ、カバー本体８の下辺８２を第１シャッターケース１１の下面１１２、第２シャッターケース２１の下面２１２に螺子８２０Ａで固定してなる。
【００３２】
シャッターケース連結カバー７は、第１シャッターケース１１と第２シャッターケース２１との間の隙間Ｓに対して正面から差し込むようにして取り付けられる。カバー本体８の内側に補強プレート９を取り付けたことで、側面視略コ字形のシャッターケース連結カバー７の形状を保持することができ、正面からの取付を容易に行うことができる。隙間Ｓより幅狭の補強プレート９が隙間Ｓに挿入されると共に、隙間Ｓよりも幅広のカバー本体８が隙間Ｓの両側の第１シャッターケース１１、第２シャッターケース２１に外嵌するように取り付ける。
【００３３】
シャッターケース連結カバー７を正面から取り付ける時、補強プレート８が隙間Ｓに入り込むことで、取付時のガイドの役目を果たし、シャッターケース連結カバー７の取付が容易になると共に、カバー本体８の上辺８０、下辺８２が拡開するように弾性変形しながら第１シャッターケース１１、第２シャッターケース２１の上面１１０、２１０、下面１１２、２１２に外嵌していく。カバー本体８の上辺の先端の係止片８００は、係止片８００の先端が傾斜状の被係止片６５２に当接してガイドされながら後方に移動していき、係止片８００の先端が被係止片６５２の先端から外れて、係止片８００が被係止片６５２に係止する。係止片８００が被係止片６５２に係止した時、カバー本体８の正面辺８１が第１シャッターケース１１、第２シャッターケース２１の正面１１１、２１１に当接する。シャッターケース連結カバー７を隙間Ｓの奥まで差し込んだ時には、シャッターケース連結カバー７は仮固定された状態となる。最後に、カバー本体８の下辺８２を、螺子８２０Ａを用いて第１シャッターケース１１の下面１１２、第２シャッターケース２１の下面２１２に固定する。シャッターケース連結カバー７は、カバー本体８の下辺８２でねじ止めするのみであり、カバー本体８の正面辺８１に螺子の頭部が露出することがなく、螺子の頭部によってシャッターケース連結カバー７の意匠性が損なわれることがない。また、カバー本体８の上辺８０の固定に螺子を用いることがないため、シャッターケースの上方に十分な空間が無い場合であっても、カバー本体８の上辺８０の固定に支障をきたすことがない。
【００３４】
上記実施形態では、シャッターケース連結カバー７のカバー本体８の下辺８２を螺子８２０Ａでシャッターケース下面１１２、２１２に固定したが、シャッターケース連結カバー７の下側をガイドレール４Ａ、４Ｂの上端側に固定してもよい。これについて、図１０に基づいて説明する。ガイドレール４Ａ、４Ｂの前面の上端側にはそれぞれ垂直片と水平片とから側面視Ｌ形状の固定片４０が設けてある。カバー本体８の下辺８２は、螺子４１を用いてガイドレール４Ａ、４Ｂの前面に設けた固定片４０の水平片に固定されている。図１０は図２と類似の図であり、両図において同一の構成要素には同一の参照番号が付してあり、これらの構成要素の説明については既述の記載を援用することができる。
【００３５】
シャッターケース連結カバー７の下側をガイドレール４Ａ、４Ｂに固定する態様において、シャッターケース連結カバー７を予めガイドレール４Ａ、４Ｂに固定しておいてもよい。例えば、ガイドレール４Ａ、４Ｂを一体化した中柱として形成し、当該中柱の上端側に予めシャッターケース連結カバー７の下側部位を固定しておいてもよい。
【００３６】
また、第１シャッター装置１及び第２シャッター装置２が手動式の場合に、全閉姿勢にある並設した第１シャッターカーテン１０、第２シャッターカーテン２０を同時に開放するシャッターの手動開放操作具４２を提供することができる。手動開放操作具４２は、開口幅方向に延びる部材であり、ガイドレール４Ａ、４Ｂを跨ぐように、ガイドレール４Ａ、４Ｂの屋外側の側辺に沿って提供される。より具体的には、図１１上図に示すように、手動開放操作具４２は、開口幅方向に延びる本体４２０と、本体４２０の幅方向の両端側から後方（屋内側）に突出する当接部４２１、４２２と、本体４２０の幅方向の中間部位から後方（屋内側）に突出するガイド突部４２３と、を備えている。手動開放操作具４２の少なくとも当接部４２１、４２２の先端側部位はゴム等の弾性部材や樹脂から形成されている。当接部４２１、４２２の高さは１枚のスラットの高さよりも小さい寸法であり、１枚のスラットの凹部に当接できるようになっている。一つの態様では、当接部４２１、４２２はそれぞれ一つであるが、当接部４２１、４２２をそれぞれ高さ方向に複数個設けてもよい。ガイドレール４Ａ、４Ｂの間隔を存して隣り合う底辺間には高さ方向に延びるガイド４２４が形成されている。一つの態様では、ガイドレール４Ａ、４Ｂは一体化した中柱として形成されており、ガイド４２４は中柱に形成されている。第１シャッターカーテン１０、第２シャッターカーテン２０をそれぞれ形成するスラットの屋外側面は凹状になっている。図１１下図に示すように、全閉姿勢にある第１シャッターカーテン１０、第２シャッターカーテン２０の所望の高さのスラットを選択し、ガイドレール４Ａ、４Ｂを跨ぐようにして、手動開放操作具４２の当接部４２１、４２２を当該スラットの凹部に当接させることで、両スラットを手動開放操作具４２を介して連結し、ガイド突部４２３をガイド４２４に位置させた状態で、手動開放操作具４２をガイド４２５に沿って上動させることで、第１シャッターカーテン１０、第２シャッターカーテン２０を同時に開放することができる。ここでは、手動開放操作具４２を屋外側から用いる場合について説明したが、手動開放操作具４２を屋外側からではなく屋内側から用いてもよい。この場合、当接部４２１、４２２、ガイド突部４２３の突出方向が逆となり、また、当接部４２１、４２２、ガイド突部４２３の突出寸法やガイド４２４の位置も適宜変更し得ることが当業者に理解される。
【産業上の利用可能性】
【００３７】
本発明は、開口部の幅方向に並設したシャッター装置のシャッターケース間の隙間を塞ぐ連結カバーの取付構造として利用することができる。
【符号の説明】
【００３８】
１１  第１シャッターケース
２１  第２シャッターケース
６  取付部材
６５  被係止部
６５２  被係止片
７  シャッターケース連結カバー
８  カバー本体
８０  上辺
８００  係止片
８１  正面辺
８１０  凹部
８２  下辺
９  補強プレート
９０  上側傾斜部
９１  垂直状部位
９２  下側傾斜部
８２０Ａ  螺子
Ｓ  隙間
【図１】
0005632669.tif 000002
【図２】
0005632669.tif 000003
【図３】
0005632669.tif 000004
【図４】
0005632669.tif 000005
【図５】
0005632669.tif 000006
【図６】
0005632669.tif 000007
【図７】
0005632669.tif 000008
【図８】
0005632669.tif 000009
【図９】
0005632669.tif 000010
【図１０】
0005632669.tif 000011
【図１１】
0005632669.tif 000012
【図１２】
0005632669.tif 000013